(57)【要約】      （修正有）【課題】ＬＡＡ（ライセンスドアシストアクセス）のためのユーザ機器と無線通信方法を提供する。【解決手段】ユーザ機器は、ＵＬ送信のためのサブフレームをスケジューリングするＵＬグラントを受信するように動作する受信部と、ＬＢＴ（リッスンビフォアトーク）を行うように動作する第１の回路と、ＬＢＴが成功した場合に、スケジューリングされたサブフレーム内の複数の開始位置候補の利用可能な１つの開始位置から始まるＰＵＳＣＨを、スケジューリングされたサブフレームにおいて送信するように動作する送信部と、を備える。【効果】スケジューリングされたサブフレームにおいてＰＵＳＣＨをＬＢＴ後に送信することができる可能性を高めることができる。【選択図】図１
2020014240.tif 000002
【特許請求の範囲】
【請求項１】
アップリンク送信のために複数のシンボルで構成される時間リソースを指示するアップリンクグラントを送信する送信機と、
前記時間リソースにおける複数の位置候補の中の１つの位置から送信されるPhysical Uplink Shared CHannel（ＰＵＳＣＨ）を受信する受信機と、を備え、
前記複数のシンボルは１４シンボルであり、前記複数の位置候補は前記時間リソースにおける１番目のシンボルと８番目のシンボルの先頭であり、
前記受信機は、前記複数の位置候補のいずれの場合においても、同じトランスポートブロックサイズによって生成される前記ＰＵＳＣＨのデータを受信する、
基地局。
【請求項２】
前記ＰＵＳＣＨは、少なくとも前記時間リソースにおける境界において終了する、
請求項１に記載の基地局。
【請求項３】
前記時間リソースは、ユーザ機器におけるListen-Before-Talk（ＬＢＴ）の結果が得られる前に通知される、
請求項１に記載の基地局。
【請求項４】
チャネルがビジーである場合は、ユーザ機器におけるListen-Before-Talk（ＬＢＴ）によるチャネルアクセスが失敗する、
請求項１に記載の基地局。
【請求項５】
ユーザ機器におけるListen-Before-Talk（ＬＢＴ）によるチャネルアクセスが失敗した場合に、前記時間リソースにおいてＬＢＴが再び実施される、
請求項１に記載の基地局。
【請求項６】
ユーザ機器におけるListen-Before-Talk（ＬＢＴ）によるチャネルアクセスの結果に基づいて、前記位置候補から前記１つの位置が決定される、
請求項１に記載の基地局。
【請求項７】
前記時間リソースは、サブフレームである、
請求項１に記載の基地局。
【請求項８】
ライセンスドアシストアクセス（ＬＡＡ：Licensed-Assisted Access）を用いて前記ＰＵＳＣＨを受信する、
請求項１に記載の基地局。
【請求項９】
アップリンク送信のために複数のシンボルで構成される時間リソースを指示するアップリンクグラントを送信するステップと、
前記時間リソースにおける複数の位置候補の中の１つの位置から送信されるPhysical Uplink Shared CHannel（ＰＵＳＣＨ）を受信するステップと、を備え、
前記複数のシンボルは１４シンボルであり、前記複数の位置候補は前記時間リソースにおける１番目のシンボルと８番目のシンボルの先頭であり、
前記複数の位置候補のいずれの場合においても、同じトランスポートブロックサイズによって生成される前記ＰＵＳＣＨのデータを受信する、
通信方法。
【請求項１０】
前記ＰＵＳＣＨは、少なくとも前記時間リソースにおける境界において終了する、
請求項９に記載の通信方法。
【請求項１１】
前記時間リソースは、ユーザ機器におけるListen-Before-Talk（ＬＢＴ）の結果が得られる前に通知される、
請求項９に記載の通信方法。
【請求項１２】
チャネルがビジーである場合は、ユーザ機器におけるListen-Before-Talk（ＬＢＴ）によるチャネルアクセスが失敗する、
請求項９に記載の通信方法。
【請求項１３】
ユーザ機器におけるListen-Before-Talk（ＬＢＴ）によるチャネルアクセスが失敗した場合に、前記時間リソースにおいてＬＢＴが再び実施される、
請求項９に記載の通信方法。
【請求項１４】
ユーザ機器におけるListen-Before-Talk（ＬＢＴ）によるチャネルアクセスの結果に基づいて、前記位置候補から前記１つの位置が決定される、
請求項９に記載の通信方法。
【請求項１５】
前記時間リソースは、サブフレームである、
請求項９に記載の通信方法。
【請求項１６】
ライセンスドアシストアクセス（ＬＡＡ：Licensed-Assisted Access）を用いて前記ＰＵＳＣＨを受信する、
請求項９に記載の通信方法。
【請求項１７】
アップリンク送信のために複数のシンボルで構成される時間リソースを指示するアップリンクグラントを送信する処理と、
前記時間リソースにおける複数の位置候補の中の１つの位置から送信されるPhysical Uplink Shared CHannel（ＰＵＳＣＨ）を受信する処理と、を制御し、
前記複数のシンボルは１４シンボルであり、前記複数の位置候補は前記時間リソースにおける１番目のシンボルと８番目のシンボルの先頭であり、
前記複数の位置候補のいずれの場合においても、同じトランスポートブロックサイズによって生成される前記ＰＵＳＣＨのデータを受信する、
集積回路。
【請求項１８】
前記ＰＵＳＣＨは、少なくとも前記時間リソースにおける境界において終了する、
請求項１７に記載の集積回路。
【請求項１９】
前記時間リソースは、ユーザ機器におけるListen-Before-Talk（ＬＢＴ）の結果が得られる前に通知される、
請求項１７に記載の集積回路。
【請求項２０】
チャネルがビジーである場合は、ユーザ機器におけるListen-Before-Talk（ＬＢＴ）によるチャネルアクセスが失敗する、
請求項１７に記載の集積回路。
【請求項２１】
ユーザ機器におけるListen-Before-Talk（ＬＢＴ）によるチャネルアクセスが失敗した場合に、前記時間リソースにおいてＬＢＴが再び実施される、
請求項１７に記載の集積回路。
【請求項２２】
ユーザ機器におけるListen-Before-Talk（ＬＢＴ）によるチャネルアクセスの結果に基づいて、前記位置候補から前記１つの位置が決定される、
請求項１７に記載の集積回路。
【請求項２３】
前記時間リソースは、サブフレームである、
請求項１７に記載の集積回路。
【請求項２４】
ライセンスドアシストアクセス（ＬＡＡ：Licensed-Assisted Access）を用いて前記ＰＵＳＣＨを受信する、
請求項１７に記載の集積回路。
【発明の詳細な説明】
【技術分野】
【０００１】
本発明は、無線通信の分野に関し、特にライセンスドアシストアクセス（ＬＡＡ：Licensed-Assisted Access）のためのユーザ機器（ＵＥ：User Equipment）および無線通信方法に関する。
【背景技術】
【０００２】
モバイルデータの急増によって、通信事業者は、ますます高い効率で有限の周波数スペクトルを利用しなければならなくなっている。一方で、多くのアンライセンスド周波数スペクトルがＷｉ−ＦｉやＢｌｕｅｔｏｏｔｈ（登録商標）等のみによって低効率で利用されている。ＬＴＥ−Ｕ（LTE-Unlicensed）およびライセンスドアシストアクセス（ＬＡＡ：Licensed-Assisted Access）によって、ＬＴＥネットワーク容量を直接的かつ劇的に増大しうるアンライセンスドバンドにＬＴＥスペクトルを拡張することができた。
【先行技術文献】
【非特許文献】
【０００３】
【非特許文献１】3GPP TS36.213(3rd Generation Partnership Project; Technical Specification Group Radio Access Network; Evolved Universal Terrestrial Radio Access(E-UTRA);Physical layer procedures)
【発明の概要】
【０００４】
本発明を制限することのない例示的な一実施形態では、スケジューリングされたサブフレームにおいて、リッスンビフォアトーク（ＬＢＴ：Listen Before Talk）後にＰＵＳＣＨを送ることができる可能性を高めるアプローチが提供される。
【０００５】
本開示の一実施例に係る基地局は、アップリンク送信のために複数のシンボルで構成される時間リソースを指示するアップリンクグラントを送信する送信機と、前記時間リソースにおける複数の位置候補の中の１つの位置から送信されるPhysical Uplink Shared CHannel（ＰＵＳＣＨ）を受信する受信機と、を備え、前記複数のシンボルは１４シンボルであり、前記複数の位置候補は前記時間リソースにおける１番目のシンボルと８番目のシンボルの先頭であり、前記受信機は、前記複数の位置候補のいずれの場合においても、同じトランスポートブロックサイズによって生成される前記ＰＵＳＣＨのデータを受信する。
【０００６】
本開示の一実施例に係る通信方法は、アップリンク送信のために複数のシンボルで構成される時間リソースを指示するアップリンクグラントを送信するステップと、前記時間リソースにおける複数の位置候補の中の１つの位置から送信されるPhysical Uplink Shared CHannel（ＰＵＳＣＨ）を受信するステップと、を備え、前記複数のシンボルは１４シンボルであり、前記複数の位置候補は前記時間リソースにおける１番目のシンボルと８番目のシンボルの先頭であり、前記複数の位置候補のいずれの場合においても、同じトランスポートブロックサイズによって生成される前記ＰＵＳＣＨのデータを受信する。
【０００７】
本開示の一実施例に係る集積回路は、アップリンク送信のために複数のシンボルで構成される時間リソースを指示するアップリンクグラントを送信する処理と、前記時間リソースにおける複数の位置候補の中の１つの位置から送信されるPhysical Uplink Shared CHannel（ＰＵＳＣＨ）を受信する処理と、を制御し、前記複数のシンボルは１４シンボルであり、前記複数の位置候補は前記時間リソースにおける１番目のシンボルと８番目のシンボルの先頭であり、前記複数の位置候補のいずれの場合においても、同じトランスポートブロックサイズによって生成される前記ＰＵＳＣＨのデータを受信する。
【０００８】
なお、一般的な実施形態または具体的な実施形態は、システム、方法、集積回路、コンピュータプログラム、記憶媒体、またはこれらの任意の選択的な組合せとして実施されうることに留意されたい。
【０００９】
開示されている実施形態のさらなる恩恵および利点は、本明細書および図面から明らかになるであろう。これらの恩恵および／または利点は、本明細書および図面のさまざまな実施形態および特徴によって、個別に得ることができ、このような恩恵および／または利点の１つまたは複数を得る目的で、実施形態および特徴すべてを設ける必要はない。
【００１０】
本発明の上記の特徴および上記以外の特徴は、添付の図面と共に解釈される、以下の説明と、添付の特許請求の範囲とからさらに明らかになるであろう。なお、これらの図面は、本発明に係るいくつかの実施形態を示しているにすぎず、したがってこれらの図面は、本開示の範囲を制限するものとはみなされないことを理解されたい。本発明について、添付の図面を使用することによってさらに具体的かつ詳細に説明する。
【図面の簡単な説明】
【００１１】
【図１】パーシャルサブフレーム（partial subframe）が採用される状況を示す概略図である。
【図２】本発明の実施形態に係る無線通信方法のフローチャートである。
【図３】本発明の実施形態に係るＵＥの概略ブロック図である。
【図４】サブフレーム内にＰＵＳＣＨのための２つの開始位置候補がある、本発明の実施形態の概略図である。
【図５】本発明の実施形態に係るＲＥマッピングの概略図である。
【図６】本発明の実施形態に係る、サブフレーム内周波数ホッピングを使用することによる１スロット長のＰＵＳＣＨの形成を概略的に示す図である。
【図７】本発明の実施形態に係る、２スロットＰＵＳＣＨ用のマッピングを使用することによる１スロット長のＰＵＳＣＨの形成を概略的に示す図である。
【図８】本発明の実施形態に係る例示的なＵＬサブフレーム構造の概略図である。
【図９】バースト全体を占有するためにバーストの最後にパーシャルサブフレームがあるバーストを概略的に示す図である。
【発明を実施するための形態】
【００１２】
以下の詳細な説明においては、添付の図面を参照し、この図面は説明の一部を形成している。図面においては、特に明記しない限り、基本的に、類似する記号は類似する要素を表している。なお、本発明の各態様を、さまざまな異なる構成で配置・置換・組合せ・設計することができ、そのような態様すべてが明示的に意図されたものであり本開示の一部を形成することが容易に理解されるであろう。
【００１３】
ＷｉＦｉ等の自律分散制御方式（distributed coordination systems）とは異なり、ＬＴＥは、ダウンリンクデータ送信およびアップリンクデータ送信の両方がｅＮＢによってスケジューリングされるｅＮＢ中心型制御方式（eNB-centric system）である。物理アップリンク共有チャネル（ＰＵＳＣＨ：Physical Uplink Shared CHannel）のためのＵＬグラントは、許可されたサブフレームの前に（例えば許可されたサブフレームの４ｍｓ前に）送信されるべきである。一方、ヨーロッパ等のいくつかの地域的な要件によれば、送信側（ｅＮＢまたはＵＥのいずれでもあり得る）にリッスンビフォアトーク（ＬＢＴ：Listen Before Talk）が要求される。許可されたサブフレームにおけるＬＢＴ結果がＵＬグラントの送信時に知られていないため、ＵＬグラントは送信されたが、ＵＥがＬＢＴの失敗によってチャネルを取得することができない場合に、スケジューリングオーバーヘッドおよび遅延が増大する。
【００１４】
スケジューリングされたサブフレームにおいて、ＬＢＴ後にＰＵＳＣＨを送信することができる可能性を高めるために、ＬＢＴの対象のスケジューリングされたサブフレーム内の位置で柔軟に開始されることができるＰＵＳＣＨが導入される。以下、通常のサブフレームより短いサブフレームをパーシャルサブフレームといい、パーシャルサブフレームで搬送されるＰＵＳＣＨをパーシャルＰＵＳＣＨ（partial PUSCH）という。図１は、パーシャルサブフレームが採用される状況を示す概略図である。図１に示されるように、ＵＬグラントは、スケジューリングされたサブフレームの前にｅＮＢからＵＥに送られている。ＵＥは、スケジューリングされたサブフレームの直前にＬＢＴを行っているが、ＬＢＴは失敗している（すなわち、チャネルがビジーである）。この場合、ＵＥは、スケジューリングされたサブフレームの先頭の境界からＰＵＳＣＨを送信することができない。この場合、ＵＥは、スケジューリングされたサブフレーム内でＬＢＴを再び行ってもよい。例えば、図１に示されるように、スケジューリングされたサブフレーム内でのＬＢＴが成功した場合、本発明によれば、スケジューリングされたサブフレーム内の或る位置から（例えば、スケジューリングされたサブフレームの第２のスロットの先頭から）ＰＵＳＣＨを送信することができる。ＰＵＳＣＨは、スケジューリングされたサブフレームの終端の境界において終了することができる。スケジューリングされたサブフレーム内の或る位置から始まり、スケジューリングされたサブフレームの終端の境界において終了するＰＵＳＣＨは、１つのサブフレームより短く、これをパーシャルＰＵＳＣＨということができる。
【００１５】
本発明の実施形態によれば、ＬＡＡのための無線通信方法が提供される。図２は、無線通信方法２００のフローチャートである。ＵＥによって無線通信方法２００を行うことができ、無線通信方法２００はステップ２０１〜２０３を含むことができる。ステップ２０１では、ＵＥは、ＵＬ送信のためのサブフレームをスケジューリングするＵＬグラントを受信する。ＵＬグラントは、ｅＮＢが送信することができる。ステップ２０２では、ＵＥは、リッスンビフォアトーク（ＬＢＴ：Listen Before Talk）を行う。ステップ２０３では、ＵＥは、ＬＢＴが成功した場合に、スケジューリングされたサブフレーム内の複数の開始位置候補の利用可能な１つの開始位置から始まるＰＵＳＣＨを、スケジューリングされたサブフレームにおいて送信する。特に、この場合のＰＵＳＣＨは、バースト中に最初に送信されたＰＵＳＣＨであり、この最初に送信されたＰＵＳＣＨは、スケジューリングされたサブフレームの終端の境界において終了することができる。この実施形態によれば、ＵＥは、ＬＢＴが成功した後、利用可能な候補位置からＰＵＳＣＨ開始位置を選択する。例えば、ＵＥは、ＬＢＴが成功した直後にＰＵＳＣＨを送信することができる。なお、必要であればＰＵＳＣＨの前に他の信号（例えば、プリアンブルや予約信号等）を送信することもできる。ＬＢＴ後に利用可能な候補位置がないか、またはスケジューリングされたサブフレーム内でＬＢＴが成功しない場合、ＵＥは、該スケジューリングされたサブフレームにおいてＰＵＳＣＨを送信しない。
【００１６】
また、本発明の実施形態は、上記通信方法を行うためのＬＡＡのためのＵＥを提供する。図３は、本発明の実施形態に係るＵＥ３００の概略ブロック図である。ＵＥ３００は、ＵＬ送信のためのサブフレームをスケジューリングするＵＬグラントを受信するように動作する受信部３０１と、ＬＢＴを行うように動作する第１の回路３０２と、ＬＢＴが成功した場合に、スケジューリングされたサブフレーム内の複数の開始位置候補の利用可能な１つの開始位置から始まる第１のＰＵＳＣＨを、スケジューリングされたサブフレームにおいて送信するように動作する送信部３０３と、を備えることができる。
【００１７】
本発明に係るＵＥ３００は、関連するプログラムを実行して各種データを処理しかつＵＥ３００内の各ユニットの動作を制御するための中央処理装置（ＣＰＵ：Central Processing Unit）３１０、ＣＰＵ３１０が様々なプロセスおよび制御を行うために必要な様々なプログラムを格納するためのリードオンリーメモリ（ＲＯＭ：Read Only Memory）３１３、ＣＰＵ３１０によるプロセスおよび制御の進行中に生成される中間データを一時的に格納するためのランダムアクセスメモリ（ＲＡＭ：Random Access Memory）３１５、および／または、様々なプログラムおよびデータ等を格納するための記憶装置３１７を任意で有しうる。上記の受信部３０１、第１の回路３０２、送信部３０３、ＣＰＵ３１０、ＲＯＭ３１３、ＲＡＭ３１５、および／または記憶装置３１７等は、データバスおよび／またはコマンドバス３２０を介して相互に接続され得、互いに信号を転送し得る。
【００１８】
上述の各構成要素は、本発明の範囲を制限しない。本発明の一実施形態によれば、上記の受信部３０１、第１の回路３０２、および送信部３０３の機能をハードウェアによって実現してもよく、ＲＯＭ３１３、ＲＡＭ３１５、および／または記憶装置３１７を不要としてもよい。あるいは、上記の受信部３０１、第１の回路３０２、および送信部３０３の機能を、上記のＣＰＵ３１０、ＲＯＭ３１３、ＲＡＭ３１５、および／または記憶装置３１７等と組み合わせた機能的ソフトウェアによって実現してもよい。
【００１９】
上述のように、ｅＮＢによって送られたＵＬグラントに従った１つのスケジューリングされたサブフレームにおいて、ＰＵＳＣＨは、複数の事前に定義された位置において始まることができる。ＵＥにおいて、スケジューリングされたサブフレームにおいてＬＢＴが成功した後、ＵＥは、利用可能な事前に定義された位置の１つにおいてＰＵＳＣＨの送信を開始する。したがって、スケジューリングされたサブフレームにおいてＰＵＳＣＨをＬＢＴ後に送信することができる可能性が高まる。
【００２０】
一実施形態では、スケジューリングされたサブフレームに２つの開始位置候補が存在することができ、これらの開始位置候補は、それぞれ、スケジューリングされたサブフレームの２つのスロットの始点にある。したがって、２つの開始位置候補に対応する２つのＰＵＳＣＨ候補があり、２つのＰＵＳＣＨ候補の第１のＰＵＳＣＨ候補（パーシャルＰＵＳＣＨ）は１スロット長であり、２つのＰＵＳＣＨ候補の第２のＰＵＳＣＨ候補（通常のＰＵＳＣＨ）は２スロット長である。
【００２１】
図４は、サブフレーム内にＰＵＳＣＨのための２つの開始位置候補がある、一実施形態の概略図である。図４に示されるように、ｅＮＢからの１つのＵＬグラントは、長さが２種類あり得る（すなわち、１スロット長または２スロット長の）１つのＰＵＳＣＨを、スケジューリングされたサブフレームにスケジューリングすることができ、このＰＵＳＣＨは必ず、スケジューリングされたサブフレームの終端の境界で終了することができる。ＵＥは、ＬＢＴが成功した後、利用可能な候補位置からＰＵＳＣＨ開始位置を選択する。なお、必要であればＰＵＳＣＨの前に他の信号（例えば、プリアンブルや予約信号等）を送信することもできる。ＬＢＴ後に利用可能な候補位置がないか、またはスケジューリングされたサブフレーム内でＬＢＴが成功しない場合、ＵＥは、該スケジューリングされたサブフレームにおいてＰＵＳＣＨを送信しない。
【００２２】
ＰＵＳＣＨの長さが、ＵＬグラントが送られるときには予測可能でないため、長さが２種類あり得る（１スロット長または２スロット長の）複数のＰＵＳＣＨを準備することが必要になりうる。現在のＵＬグラント（ＬＴＥＲｅｌｅａｓｅ １３）によれば、ＲＢ割当て、ＭＣＳ、およびトランスポートブロック数がＵＥに通知される。想定されるＰＵＳＣＨの長さ応じて、ＰＵＳＣＨ送信のためのＲＥの数を個別に得ることができる。
【００２３】
トランスポートブロックのサイズに関して、２つのアプローチがあり得る。第１のオプションは、各ＰＵＳＣＨの長さに応じた２つのトランスポートブロックを用意するものである（通常のＰＵＳＣＨにはＮ個のＲＢが割り当てられるものとし、パーシャルＰＵＳＣＨには
【数１】
2020014240.tif 000003
個のＲＢが割り当てられるものとする（「Ｎ」は、ＵＬグラントにおいて通知された割り当てられるＲＢ数である））。換言すれば、一実施形態では、ＵＥは、２つのＰＵＳＣＨ候補それぞれのための２つのトランスポートブロックを準備するように動作する第２の回路を備えることができ、この場合、第２のＰＵＳＣＨ候補（通常のＰＵＳＣＨ）にはＮ個のＲＢが割り当てられるものとし、第１のＰＵＳＣＨ候補（パーシャルＰＵＳＣＨ）には
【数２】
2020014240.tif 000004
個のＲＢが割り当てられるものとする（「Ｎ」は、ＵＬグラントにおいて通知された割り当てられるＲＢ数である）。あるいは、第２のオプションでは、パーシャルＰＵＳＣＨのためにＵＬグラントの中のＭＣＳを解釈し直して（例えば、変調次数および／または符号化率を大きくして）、トランスポートブロックを１つ準備する。換言すれば、一実施形態では、ＵＥは、２つのＰＵＳＣＨ候補のための１つのトランスポートブロックを準備するように動作する第２の回路を備えることができ、この場合、ＵＬグラントにおいて通知された変調・符号化方式（ＭＣＳ：Modulation and Coding Scheme）は、第１のＰＵＳＣＨ候補のために解釈し直される。
【００２４】
ＲＥマッピングに関して、スロット毎におよびＴＢＳを決定する度に現在のＲＥマッピング（図５に示されるように、時間的に最初のＰＵＳＣＨデータマッピング、ＰＵＳＣＨのＲＳ、ＣＱＩ／ＰＭＩ、ＡＣＫ／ＮＡＣＫ、ＲＩを含む）を１スロット長のパーシャルＰＵＳＣＨのために再利用することができる。
【００２５】
ＰＵＳＣＨのための現在のサブフレーム内周波数ホッピングによって、異なる周波数バンドの２つのスロットが提供される。図６は、本発明の実施形態に係る、サブフレーム内周波数ホッピングを使用することによる１スロット長のＰＵＳＣＨの形成を概略的に示す図である。図６の左側に示されるように、割り当てられた全ＲＢの第１のスロット（スロット０）が１つのサブバンドにおいてマッピングされ、割り当てられた全ＲＢの第２のスロット（スロット１）が上記サブバンドからＲＢ数個分離れた他のサブバンド（上記サブバンドと同じ帯域幅内のサブバンド）にマッピングされている。次いで、図６の右側に示されるように、スロット０に割り当てられたＲＢと、スロット１に割り当てられたＲＢとを１つのスロット（スロット１）に組み合わせることによって、１スロット長のＰＵＳＣＨを得ることができる。すなわち、時間領域において、上記の割り当てられた複数のＲＢは１つのスロットに入れられ、周波数領域において、これらのＲＢを元の順序で連続的に配置可能である。換言すれば、一実施形態では、ＵＥは、２スロット長のＰＵＳＣＨのスロット０に割り当てられたＲＢとスロット１に割り当てられたＲＢとを、サブフレーム内周波数ホッピングを用いて１つのスロットにおいて組み合わせることによって第１のＰＵＳＣＨ候補を形成するように動作する第３の回路を備えることができる。
【００２６】
あるいは、１つのスロットにＲＢがＮ個ある、１つのｓＰＵＳＣＨ（shortened PUSCH）のために、２つのスロットにＲＢが
【数３】
2020014240.tif 000005
個ずつあるＰＵＳＣＨ用のマッピングを使用することができる（「Ｎ」は、ＵＬグラントにおいて通知された割り当てられるＲＢ数である）。図７は、本発明の実施形態に係る、２スロットＰＵＳＣＨ用のマッピングを使用することによる１スロット長のＰＵＳＣＨの形成を概略的に示す図である。Ｎが偶数であることが想定される図７に示されるように、第１のステップにおいて、各スロットにＲＢがＮ／２個ずつある２スロットＰＵＳＣＨのＲＥマッピングが行われ、第２のステップにおいて、２つのスロットの各ＲＢが１つのスロットの２つの隣接したＲＢにマッピングされる。Ｎが偶数である場合、割り当てられたＲＢのすべてを１スロット長のＰＵＳＣＨによって使用可能である。Ｎが奇数である場合、割り当てられたＲＢの１つが１スロット長のＰＵＳＣＨによって使用されない場合がある。この実施形態によれば、ＵＥは、２つのスロットにＲＢが
【数４】
2020014240.tif 000006
個ずつある２スロット長のＰＵＳＣＨ用のマッピングを使用することによって１つのスロットにＲＢがＮ個ある第１のＰＵＳＣＨ候補を形成するように動作する第３の回路を備えることができ、この場合、２つのスロットの各ＲＢは、１つのスロットの２つの隣接したＲＢにマッピングされる。
【００２７】
上述のように、ＲＥマッピング、ＴＢＳの決定、およびサブフレーム内ホッピングを再利用することができるため、スロットレベルでの開始位置候補（すなわち、２つの開始位置候補）を使用することによってＵＥトランシーバーへの修正／ＵＥトランシーバーが複雑になること、および仕様による影響を最小化することができる。なお、第２の回路および第３の回路は、第１の回路３０２に類似のハードウェアまたは機能的ソフトウェアによって実現されうる。
【００２８】
他の実施形態では、開始位置候補はシンボルレベルであり得る。ｅＮＢからの１つのＵＬグラントは、長さが最大で１４種類（すなわち、１個〜１４個のシングルキャリア周波数分割多元接続（ＳＣ−ＦＤＭＡ：Single-Carrier Frequency Division Multiple Access）シンボル）あり得る１つのＰＵＳＣＨを、スケジューリングされたサブフレーム内に（例えば、通常のサイクリックプレフィックスの場合、シンボル０、４、７、または１１の４つの開始位置において）スケジューリングすることができる。サウンディング基準信号（ＳＲＳ：Sounding Reference Signal）シンボル（アップリンクサブフレーム内の最後のＳＣ−ＦＤＭＡシンボル）が、ＳＲＳサブフレームにおいて排除されうる。ＬＢＴが成功した後、ＵＥは、利用可能なＰＵＳＣＨ開始位置を１つ選択する。この実施形態については、ＰＵＳＣＨは、複数のあり得る長さで準備されるべきであり、１３シンボル長および１４シンボル長を除くＰＵＳＣＨの長さに基づく新たなＴＢＳの決定（例えば、スケールファクタ）が必要である。非特許文献１に定義された現在のトランスポートブロックサイズテーブルでは、サイクリックプレフィックス（ＣＰ：Cyclic Prefix）の長さに応じて１４シンボルまたは１２シンボルの通常のＰＵＳＣＨが想定されている。そのため、ＳＣ−ＦＤＭＡシンボル数がより少ないＰＵＳＣＨは、ＰＵＳＣＨデータのＲＥ数に相応じて現在のＴＢＳに適用されるスケールファクタを有しうる。例えば、１４で割ったＰＵＳＣＨのＳＣ−ＦＤＭＡシンボル数によってスケールファクタを求めることができる。また、１４シンボル長を除いて、ＰＵＳＣＨの第１のＳＣ−ＦＤＭＡシンボルから始まる新たなＲＥマッピングが必要である。ＰＵＳＣＨのＲＳが常に事前に定義されたシンボル位置にある、図８に示されるようなライセンスドキャリアにおけるＵＬサブフレーム構造（すなわち、通常のＣＰの場合はシンボル３または１０、拡張ＣＰ（extended CP）の場合はシンボル２または８）に位置合わせされた現在のＵＬサブフレーム構造を再利用することがアプローチの１つである。このアプローチでは、現在のＵＬサブフレーム構造におけるＰＵＳＣＨのＳＣ−ＦＤＭＡシンボルは、先頭から切り捨てられている。ロングブロック（ＬＢ：Long Block）は、ＳＣ−ＦＤＭＡシンボルと等しい。ＵＬサブフレーム構造をシフトすること、すなわち、すべてのＳＣ−ＦＤＭＡシンボルを図８の左から右にシフトすることが他のアプローチである。このアプローチでは、ＵＬサブフレーム構造は、末尾から切り捨てられている。第２のＳＣ−ＦＤＭＡシンボルから始まる１３ＳＣ−ＦＤＭＡ長のＰＵＳＣＨについては、ＳＲＳ（現在のアップリンクサブフレームの最後のＳＣ−ＦＤＭＡシンボル内）を有する現在のサブフレームから１ＳＣ−ＦＤＭＡシンボル分右にシフトするＤＭＲＳが必要とされる。
【００２９】
他の実施形態では、ＵＥの送信部はさらに、バーストの終りで終了する第２のＰＵＳＣＨを送信するように動作することができる。なお、本発明において「第１のＰＵＳＣＨ」および「第２のＰＵＳＣＨ」の「第１の」および「第２の」は、ＰＵＳＣＨの順序を制限せず、単に一方のＰＵＳＣＨを他方から区別するものである。地域的規定に基づいて、バーストの最大長さが制限されうる（例えば、日本では４ｍｓに制限され、ヨーロッパでは１０ｍｓに制限されている）。一度のＵＬバースト（少なくとも１つのＵＥのアップリンク伝送信号からなる）の始めにパーシャルサブフレームがある場合、終りにおけるパーシャルサブフレームが、最大許容占有時間（通常１ｍｓ粒度）に達するために有益でありうる。バーストの終りにパーシャルサブフレームをスケジューリングする方法には、複数のアプローチがあり得る。例えば、他のサブフレームのように個別のＵＬグラントによってバーストの最後にパーシャルサブフレームを独立してスケジューリングすることがアプローチの１つであり、また、他のアプローチとしては、図９に示されるように、同じＵＥのための、バーストの始めのパーシャルサブフレーム用のＵＬグラントによってバーストの終りにパーシャルサブフレームを非明示的にスケジューリングするものがある。図９は、バースト全体を占有するためにバーストの終りにパーシャルサブフレームがあるバーストを概略的に示す図である。図９に示されるように、バーストの終りのパーシャルサブフレームは、個別のＵＬグラントによって明示的にスケジューリングされておらず、バーストの始めのパーシャルサブフレーム用のＵＬグラントによって非明示的にスケジューリングされている。換言すれば、バーストの最初にスケジューリングされたサブフレームがパーシャルサブフレームである場合、バーストの終りのパーシャルサブフレームは非明示的にスケジューリングされている。
【００３０】
他の実施形態では、ＵＥが２つ以上のサブフレームに連続的にスケジューリングされる場合、アップリンクパーシャルサブフレームを、該アップリンクパーシャルサブフレームに隣接する通常のサブフレームと共にスケジューリングおよび／または符号化することができる。アップリンクパーシャルサブフレームがバーストの始めにある場合、該アップリンクパーシャルサブフレームに隣接する通常のサブフレームは、次のサブフレームである。アップリンクパーシャルサブフレームがバーストの終りにある場合、該アップリンクパーシャルサブフレームに隣接する通常のサブフレームは、先行する通常のサブフレームである。例えば、上記の第１のＰＵＳＣＨがスケジューリングされたサブフレームの先頭の境界から始まらない場合、スケジューリングされたサブフレームは、該スケジューリングされたサブフレームの次のサブフレームと共に符号化可能である。上記の第２のＰＵＳＣＨがバーストの最終サブフレームの終端の境界で終了しない場合、最終サブフレームは、該最終サブフレームの前のサブフレームと共に符号化可能である。
【００３１】
本発明は、ソフトウェア、ハードウェア、またはハードウェアと協働するソフトウェアによって実現可能である。上述の各実施形態の説明において使用される各機能ブロックは、集積回路であるＬＳＩによって実現可能であり、また、各実施形態において説明された各プロセスは、ＬＳＩによって制御されうる。それらのＬＳＩを個々にチップとして形成してもよいし、１つのチップを、機能的ブロックの一部または全部を含むように形成してもよい。ＬＳＩは、ＬＳＩに結合されたデータ入力部およびデータ出力部を有しうる。本明細書においてＬＳＩを、集積度の違いにより、ＩＣ、システムＬＳＩ、スーパーＬＳＩ、ウルトラＬＳＩということもできる。集積回路化の手法はＬＳＩに限定されず、専用回路または汎用プロセッサで実現されうる。また、ＬＳＩ製造後にプログラムすることが可能なフィールドプログラマブルゲートアレイ（ＦＰＧＡ：Field Programmable Gate Array）や、ＬＳＩ内部の回路セルの接続や設定を再構成可能なリコンフィギュラブルプロセッサを利用してもよい。
【００３２】
なお、本発明は、本発明の趣旨および範囲から逸脱することなく、明細書に提示された説明および既知の技術に基づいて当業者によって様々に変更または修正されることが意図され、そのような変更および適用は、保護される特許請求の範囲内に入る。さらに、本発明の趣旨を逸脱しない範囲で、上述した実施形態の構成要素を任意に組み合わせることができる。
【００３３】
本発明の実施形態は、少なくとも以下の主題を提供することができる。
１．  アップリンク（ＵＬ：Uplink）送信のためのサブフレームをスケジューリングするＵＬグラントを受信するように動作する受信部と、
リッスンビフォアトーク（ＬＢＴ：Listen-Before-Talk）を行うように動作する第１の回路と、
前記ＬＢＴが成功した場合に、前記スケジューリングされたサブフレーム内の複数の開始位置候補の利用可能な１つの開始位置から始まる第１の物理アップリンク共有チャネル（ＰＵＳＣＨ：Physical Uplink Shared CHannel）を、前記スケジューリングされたサブフレームにおいて送信するように動作する送信部と、を備える、
ライセンスドアシストアクセス（ＬＡＡ：Licensed-Assisted Access）のためのユーザ機器。
【００３４】
２．  前記第１のＰＵＳＣＨは、前記スケジューリングされたサブフレームの終端の境界において終了する、
１に記載のユーザ機器。
【００３５】
３．  前記スケジューリングされたサブフレーム内に、前記スケジューリングされたサブフレームの２つのスロットのそれぞれの始点における２つの開始位置候補があり、前記２つの開始位置候補に対応する２つのＰＵＳＣＨ候補が存在し、前記２つのＰＵＳＣＨ候補の第１のＰＵＳＣＨ候補は、１スロット長であり、前記２つのＰＵＳＣＨ候補の第２のＰＵＳＣＨ候補は、２スロット長である、
２に記載のユーザ機器。
【００３６】
４．  前記２つのＰＵＳＣＨ候補のそれぞれのための２つのトランスポートブロックを準備するように動作する第２の回路をさらに備え、
前記第２のＰＵＳＣＨ候補にはＮ個のリソースブロック（ＲＢ：Resource Block）が割り当てられるものとし、前記第１のＰＵＳＣＨ候補には
【数５】
2020014240.tif 000007
個のＲＢが割り当てられるものとし、Ｎは、前記ＵＬグラントにおいて通知された割り当てられるＲＢ数である、
３に記載のユーザ機器。
【００３７】
５．  前記２つのＰＵＳＣＨ候補のための１つのトランスポートブロックを準備するように動作する第２の回路をさらに備え、
前記ＵＬグラントにおいて通知された変調・符号化方式（ＭＣＳ：Modulation and Coding Scheme）が、前記第１のＰＵＳＣＨ候補のために解釈し直される、
３に記載のユーザ機器。
【００３８】
６．  ２スロット長のＰＵＳＣＨのスロット０に割り当てられたＲＢとスロット１に割り当てられたＲＢとを、サブフレーム内周波数ホッピングを用いて１つのスロットにおいて組み合わせることによって前記第１のＰＵＳＣＨ候補を形成するように動作する第３の回路をさらに備える、
３に記載のユーザ機器。
【００３９】
７．  ２つのスロットにＲＢが
【数６】
2020014240.tif 000008
個ずつある２スロット長のＰＵＳＣＨ用のマッピングを使用することによって１つのスロットにＲＢがＮ個ある前記第１のＰＵＳＣＨ候補を形成するように動作する第３の回路をさらに備え、２つのスロットの各ＲＢは、１つのスロットの２つの隣接したＲＢにマッピングされる、
３に記載のユーザ機器。
【００４０】
８．  前記開始位置候補は、シンボルレベルの位置である、
１に記載のユーザ機器。
【００４１】
９．  前記第１のＰＵＳＣＨが前記スケジューリングされたサブフレームの先頭の境界から始まらない場合、前記スケジューリングされたサブフレームは、前記スケジューリングされたサブフレームの次のサブフレームと共に符号化される、
１に記載のユーザ機器。
【００４２】
１０．  前記送信部は、バーストの終りで終了する第２のＰＵＳＣＨを送信するようにさらに動作する、
１に記載のユーザ機器。
【００４３】
１１．  前記第２のＰＵＳＣＨが前記バーストの最終サブフレームの終端の境界で終了しない場合、前記最終サブフレームは、前記最終サブフレームの前のサブフレームと共に符号化される、
１０に記載のユーザ機器。
【００４４】
１２．  アップリンク（ＵＬ：Uplink）送信のためのサブフレームをスケジューリングするＵＬグラントを受信するステップと、
リッスンビフォアトーク（ＬＢＴ：Listen-Before-Talk）を行うステップと、
前記ＬＢＴが成功した場合に、前記スケジューリングされたサブフレーム内の複数の開始位置候補の利用可能な１つの開始位置から始まる第１の物理アップリンク共有チャネル（ＰＵＳＣＨ：Physical Uplink Shared CHannel）を、前記スケジューリングされたサブフレームにおいて送信するステップと、を含む、ユーザ機器によって行われるライセンスドアシストアクセス（ＬＡＡ：Licensed-Assisted Access）のための無線通信方法。
【００４５】
１３．  前記第１のＰＵＳＣＨは、前記スケジューリングされたサブフレームの終端の境界において終了する、
１２に記載の無線通信方法。
【００４６】
１４．  前記スケジューリングされたサブフレームには、前記スケジューリングされたサブフレームの２つのスロットのそれぞれの始点における２つの開始位置候補があり、前記２つの開始位置候補に対応する２つのＰＵＳＣＨ候補が存在し、前記２つのＰＵＳＣＨ候補の第１のＰＵＳＣＨ候補は、１スロット長であり、前記２つのＰＵＳＣＨ候補の第２のＰＵＳＣＨ候補は、２スロット長である、
１３に記載の無線通信方法。
【００４７】
１５．  前記２つのＰＵＳＣＨ候補のそれぞれのための２つのトランスポートブロックを準備するステップをさらに含み、
前記第２のＰＵＳＣＨ候補にはＮ個のリソースブロック（ＲＢ：Resource Block）が割り当てられるものとし、前記第１のＰＵＳＣＨ候補には
【数７】
2020014240.tif 000009
個のＲＢが割り当てられるものとし、Ｎは、前記ＵＬグラントにおいて通知された割り当てられるＲＢ数である、
１４に記載の無線通信方法。
【００４８】
１６．  前記２つのＰＵＳＣＨ候補のための１つのトランスポートブロックを準備するステップをさらに含み、
前記ＵＬグラントにおいて通知された変調・符号化方式（ＭＣＳ：Modulation and Coding Scheme）が、前記第１のＰＵＳＣＨ候補のために解釈し直される、
１４に記載の無線通信方法。
【００４９】
１７．  ２スロット長のＰＵＳＣＨのスロット０に割り当てられたＲＢとスロット１に割り当てられたＲＢとを、サブフレーム内周波数ホッピングを用いて１つのスロットにおいて組み合わせることによって前記第１のＰＵＳＣＨ候補を形成するステップをさらに含む、１４に記載の無線通信方法。
【００５０】
１８．  ２つのスロットにＲＢが
【数８】
2020014240.tif 000010
個ずつある２スロット長のＰＵＳＣＨ用のマッピングを使用することによって１つのスロットにＲＢがＮ個ある前記第１のＰＵＳＣＨ候補を形成するステップをさらに含み、２つのスロットの各ＲＢは、１つのスロットの２つの隣接したＲＢにマッピングされる、
１４に記載の無線通信方法。
【００５１】
１９．  前記開始位置候補は、シンボルレベルの位置である、
１２に記載の無線通信方法。
【００５２】
２０．  前記第１のＰＵＳＣＨが前記スケジューリングされたサブフレームの先頭の境界から始まらない場合、前記スケジューリングされたサブフレームは、前記スケジューリングされたサブフレームの次のサブフレームと共に符号化される、
１２に記載の無線通信方法。
【００５３】
２１．  バーストの終りで終了する第２のＰＵＳＣＨを送信するステップをさらに含む、
１２に記載の無線通信方法。
２２．  前記第２のＰＵＳＣＨが前記バーストの最終サブフレームの終端の境界で終了しない場合、前記最終サブフレームは、前記最終サブフレームの前のサブフレームと共に符号化される、
２１に記載の無線通信方法。
【００５４】
また、本開示の実施形態は、上記のそれぞれの通信方法におけるステップを実行するためのモジュールを備える集積回路を提供することができる。さらに、本開示の実施形態は、プログラムコードを含むコンピュータプログラムが格納されているコンピュータ可読記憶媒体であって、プログラムコードがコンピューティングデバイスにおいて実行されたとき、プログラムコードが上記のそれぞれの通信方法のステップを実行する、コンピュータ可読記憶媒体、を提供することができる。
【図１】
2020014240.tif 000011
【図２】
2020014240.tif 000012
【図３】
2020014240.tif 000013
【図４】
2020014240.tif 000014
【図５】
2020014240.tif 000015
【図６】
2020014240.tif 000016
【図７】
2020014240.tif 000017
【図８】
2020014240.tif 000018
【図９】
2020014240.tif 000019